(57)【要約】【課題】ネットワークケーブルの試験時間を短縮する。【解決手段】試験機器の主ユニット30を、被試験ケーブル32の一端側に接続し、遠隔ユニット34を、被試験ケーブル32の他端側に接続する。最初は、主ユニット30が能動ユニットとなって、被試験ケーブル32に試験信号を印加するとともに一連の測定を行う。遠隔ユニット34が受動ユニットとなって、主ユニット30からの試験信号を利用して測定を行う。一連の試験が完了したら、両ユニットは役割を交代する。遠隔ユニット34が能動ユニットとなって試験信号を供給する。主ユニット30が受動ユニットとなって、一連の測定を行う。このように、被試験ケーブル32の両側から連続して試験を実行するので、試験時間を短縮できる。【選択図】図５
2005318592.tif 000002
【特許請求の範囲】
【請求項１】
被試験ケーブルの第１の端末側に試験機器の第１ユニットを接続し、前記被試験ケーブルの第２の端末側に前記試験機器の第２ユニットを接続し、前記第１ユニットにより前記第１の端末側に試験信号を供給して、前記第１ユニットにより測定動作を行うとともに、前記第１ユニットにより供給される試験信号に基づいて、前記第２ユニットにより測定動作を行うことを特徴とする測定方法。
【請求項２】
前記第１ユニットによる前記試験信号の印加タイミングと測定タイミングにあわせて前記第２ユニットが前記測定動作を行うことを特徴とする請求項１記載の測定方法。
【請求項３】
前記第１ユニットから前記試験信号を印加して、前記試験信号に基づいて前記第１ユニットと前記第２ユニットによる測定動作を行うことを特徴とする請求項１記載の測定方法。
【請求項４】
前記第２ユニットもまた、前記被試験ケーブルに試験信号を印加して測定動作を行う能力を有することを特徴とする請求項３記載の測定方法。
【請求項５】
前記第１ユニットにより印加される試験信号に基づいて測定動作を行った後に、前記第２ユニットから試験信号を印加して、前記第１ユニットと前記第２ユニットにより測定動作を行うことを特徴とする請求項４記載の測定方法。
【請求項６】
前記第１ユニットによる測定動作は、近端漏話と帰還損失のうちのいずれかの測定動作であることを特徴とする請求項１記載の測定方法。
【請求項７】
前記第１ユニットによる測定動作は、電磁妨害測定を含むことを特徴とする請求項６記載の測定方法。
【請求項８】
前記第２ユニットによる測定動作は、遠端漏話と挿入損失と電磁妨害のうちのいずれかの測定動作であることを特徴とする請求項１記載の測定方法。
【請求項９】
前記第２ユニットによる測定動作は、電磁妨害測定を含むことを特徴とする請求項８記載の測定方法。
【請求項１０】
前記第２ユニットにより、前記被試験ケーブルに受動的終端インピーダンスを接続することを特徴とする請求項１記載の測定方法。
【請求項１１】
被試験ケーブルの第１の端末側に接続して試験信号を印加する手段と測定動作を行う手段とを備える第１ユニットと、前記被試験ケーブルの第２の端末側に接続して試験信号を印加する手段と測定動作を行う手段とを備える第２ユニットとからなる試験機器であって、前記第１ユニットが、前記被試験ケーブルに試験信号を印加しつつ前記試験信号を用いて測定動作を行うと同時に、前記第２ユニットが、前記第１ユニットからの試験信号のタイミングに合わせて前記試験信号を用いて測定動作を行う第１の試験動作モードを備えたことを特徴とする試験機器。
【請求項１２】
前記第２ユニットが、前記被試験ケーブルに試験信号を印加しつつ前記試験信号を用いて測定動作を行うと同時に、前記第１ユニットが、前記第２ユニットからの試験信号のタイミングに合わせて前記試験信号を用いて測定動作を行う第２の試験動作モードを備えたことを特徴とする請求項１１記載の試験機器。
【発明の詳細な説明】
【技術分野】
【０００１】
本発明は、主ユニットと遠隔ユニットを用いる測定方法と試験機器に関し、特に、ネットワークケーブルの試験と測定のための測定方法と試験機器に関する。
【背景技術】
【０００２】
短い試験時間は、ローカルエリアネットワーク(LAN)ケーブル試験では重要である。なぜなら、ある試験計画では、36の個別周波数応答の測定が必要であり、それぞれの周波数応答では、１から60MHzにわたる帯域の1,168の測定周波数が必要だからである。このように試験数が多くなると、試験するのにかなりの長時間を要する。試験時間を短縮するための従来の手法としては、２つの異なった試験信号を、あるケーブルの異なった導体対に与えることにより、同時に測定を行う方法がある。この場合、他の試験に干渉しないよう、第１の試験周波数と第２の試験周波数をずらす必要がある。
【０００３】
LANケーブルなどの試験技術の従来例としては、本発明者による次の特許文献記載の技術などがある。
【特許文献１】特許第2745297号公報
【特許文献２】特許第2881597号公報
【発明の開示】
【発明が解決しようとする課題】
【０００４】
しかし、従来のケーブル試験方法では、同時に試験するためには、干渉しない周波数の試験信号を使う必要があるというように、試験条件の制約が強いという問題があった。そのため、特定の条件の試験しか短時間で行うことができず、ネットワークケーブルの試験全体を短時間で行うことは困難であった。
【０００５】
本発明の目的は、上記従来の問題を解決して、ネットワークケーブルの試験時間を短縮することである。
【課題を解決するための手段】
【０００６】
上記の課題を解決するために、本発明では、ネットワークケーブルの試験における測定方法を、被試験ケーブルの第１の端末側に試験機器の第１ユニットを接続し、被試験ケーブルの第２の端末側に試験機器の第２ユニットを接続し、第１ユニットにより第１の端末側に試験信号を供給して、第１ユニットにより測定動作を行うとともに、第１ユニットにより供給される試験信号に基づいて、第２ユニットにより測定動作を行う方法とした。
【発明の効果】
【０００７】
上記のような方法としたことにより、主ユニット（一方の試験ユニット）で試験信号を供給しながら測定動作を行い、同時に、遠隔ユニット（他方の試験ユニット）では、主ユニットから供給された試験信号により測定動作を行うという、主ユニットと遠隔ユニットが協調した試験を行うことができる。また、一連の試験が実行される過程で、主ユニットと遠隔ユニットの機能を切り替えることができる。遠隔ユニットが試験信号を供給して一連の測定動作を行うとき、主ユニットは、遠隔ユニットからの試験信号に基づいて各種の測定動作を行う。このようにして、与えられた時間内により多くの試験を行うことができる。
【発明を実施するための最良の形態】
【０００８】
以下、本発明を実施するための最良の形態について、図１〜図６を参照しながら詳細に説明する。
【実施例】
【０００９】
本発明の実施例は、被試験ケーブルの一端側に主ユニットを接続し、遠隔ユニットを他端側に接続し、主ユニットから試験信号を印加して、主ユニットと遠隔ユニットで一連の測定を行い、その後両ユニットの役割を交代して、一連の測定を行うネットワーク試験機器である。
【００１０】
図１は、本発明の実施例における試験機器の１つの試験ユニットの主要構成要素を示す機能的系統図である。図２は、図１の試験ユニットを、参照パス測定を行うために設定した状態を示す系統図である。図３は、図１の試験ユニットを、近端漏話測定を行うために設定した状態を示す系統図である。図４は、図１の試験ユニットを、帰還損失測定を行うために設定した状態を示す系統図である。図５は、試験機器の主ユニットと遠隔ユニットを被試験ケーブルに接続した状態を示す概念図である。図６は、試験機器の主ユニットと遠隔ユニットによる典型的な測定シーケンスを示すシーケンス図である。
【００１１】
最初に、図１を参照しながら、本実施例の試験機器の回路系統図を説明する。試験機器は、２つの試験ユニット（主ユニットと遠隔ユニット）からなる。４つのケーブル対12、12'、12''、12'''はそれぞれ、試験ユニット10の平衡・不平衡変換器14を介して、送信スイッチ16aと受信スイッチ16bからなるスイッチ16に接続されている。送信スイッチ16aは、信号源18からの試験信号を受ける。受信スイッチ16bは、受信器20に接続されている。受信器20は、受信回路とパルスノイズ比較器とを含む。受信器20と信号源18の間には、復路系26が存在する。復路系26は、方向性カプラ26aと、受信器入力を方向性カプラ26aに接続するスイッチ26bと、信号源18と送信スイッチ16aにつながったスイッチ26dと、受信器入力をスイッチ26dに接続するスイッチ26cとを含む。好ましい実施例では、復路系26は、信号減衰量-20dBを有する。方向性カプラ26aは、信号源18と受信器20の入力端子との間に置かれ、-20dBの信号減衰量を有する。DSP/CPU（ディジタル信号処理器/中央処理装置）24は、各部品に適切に接続されていて、データを送受信して試験動作を制御する。
【００１２】
次に、図２を参照しながら、参照パスの測定方法を説明する。図１の試験ユニット10は、参照パスの測定のために、図２のように設定され、較正などが行われる。この設定状態において、スイッチ16はすべて切断される。スイッチ26cと26dが接続される。スイッチ26bは切断される。信号源18からの試験信号は、受信器20に直接供給される。
【００１３】
次に、図３を参照しながら、近端漏話の測定方法を説明する。近端漏話(NEXT1,2)とは、ケーブル対#1とケーブル対#2と間のクロストークであり、信号源側から測定する場合をいう。試験ユニット10は、近端漏話(NEXT1,2)を測定するために、図３のように設定される。このとき、スイッチ16aとスイッチ16b'は接続される。信号源18からの試験信号は、ケーブル対#1で伝送される。そしてケーブル対#2から受信された情報は、受信器20に供給される。
【００１４】
次に、図４を参照しながら、帰還損失の測定方法を説明する。帰還損失とは、ケーブルを反射して戻る信号の減衰量のことである。図４に、ケーブル対#1の帰還損失を測定するためのスイッチ設定状態を示す。このとき、送信スイッチ16aは接続される。受信スイッチ16bは切断される。スイッチ26bは接続される。スイッチ26cとスイッチ26dは切断される。この設定状態においては、信号源18からの試験信号は、ケーブル対#1に供給される。反射信号は、方向性カプラ26aを介して、受信器20に拾い上げられる。以上、何種類かの測定をするためのスイッチの設定状態を説明した。
【００１５】
以下、図５と図６を参照しながら、ケーブルの試験方法を詳しく説明する。主ユニットと遠隔ユニットの試験構成を、図５に示す。各種試験のタイミング系統図を、図６に示す。主ユニットと遠隔ユニットを用いる典型的な測定方法のタイミングが図示されている。試験を行うために、試験機器の主ユニット30を、被試験ケーブル32の一端側に接続し、遠隔ユニット34を、被試験ケーブル32の他端側に接続する。２つのユニット30、34は、試験信号の発信側（信号源）となる能動ユニットの役割と、受信側（非信号源）となる受動ユニットの役割を、途中で互に交換する。
【００１６】
こうして、図５の上側に示す構成では、主ユニット30は発信側となり、遠隔ユニット34は受信側となる。また、図５の下側に示す構成においては、役割を交代して、今度は遠隔ユニット34が発信側となり、主ユニット30は受信側となる。このように試験を実行することにより、被試験ケーブル32の両端から、全ての測定を行うことができる。
【００１７】
次に、図６を参照しながら、試験シーケンスを説明する。能動（発信側）ユニットと受動（受信側）ユニットにより、同時に測定が行われる。試験シーケンス36は、能動ユニットの試験動作の詳細な内訳とタイミングを示す時系列図である。試験シーケンス38は、受動ユニットの試験動作の詳細な内訳とタイミングを示す時系列図である。この試験シーケンスは、一連のタイムスロットからなっている。第１のタイムスロットでは、能動ユニットは、一連の試験の準備として、較正のための参照パス測定を行う。この測定については、図２の説明ですでに述べた。第１のタイムスロットでは、受動ユニットは何も測定をしない。なぜなら、被試験ケーブルに対し、何の試験信号もまだ供給されないからである。
【００１８】
次のタイムスロットでは、能動ユニットは、近端漏話（NEXT1,2：ケーブル対#1からケーブル対#2へのクロストークを信号源側からみたもの）を測定する。他方、受動ユニットは、能動ユニットから供給された試験信号を使用して、遠端漏話（FEXT1,3：ケーブル対#1からケーブル対#3へのクロストークを終端側からみたもの）を測定する。次のタイムスロットでは、ケーブル対#1からケーブル対#3への近端漏話が、能動ユニットにより測定される。受動ユニットにより、遠端漏話（FEXT1,2）が測定される。これに続いて、能動ユニットは、近端漏話（NEXT1,4）を測定するために、試験信号を供給する。送信スイッチ16aは、試験信号をケーブル対#1に供給するために接続され、受信スイッチ16b'''は、ケーブル対#4の帰還漏話を受信するために接続される。このタイムスロットでは、受動ユニットは、ケーブル対#1の挿入損失(IL1)を測定する。挿入損失とは、ケーブルの端末‐端末間の伝送損失のことである。
【００１９】
次いで、能動ユニットは、ケーブル対#1の帰還損失(RL1)の測定を行う。帰還損失とは、入射信号に対する反射信号の比率のことである。一方、受動ユニットは、能動ユニットからの試験信号を用いて、ケーブル対#1のケーブル対#4に対する遠端漏話(FEXT1,4)を測定する。能動ユニットでは、その後、近端漏話（NEXT2,3）と、近端漏話（NEXT2,4）と、帰還損失（RL2）と、近端漏話（NEXT3,4）と、帰還損失（RL3）の測定が続けられる。これらの測定に対応して、受動ユニットでは、遠端漏話（FEXT2,4）と、挿入損失（IL2）と、遠端漏話（FEXT2,3）と、挿入損失（IL3）と遠端漏話（FEXT3,4）の測定が行われる。
【００２０】
能動ユニットにおける帰還損失（RL3）測定と、受動ユニットにおける遠端漏話（FEXT3,4）測定のタイムスロットに続くタイムスロットでは、能動ユニットは測定を行わない。そのタイムスロットでは、受動ユニットは、ケーブル対#4の挿入損失(IL4)を測定している。そして、それに続くタイムスロットでは、能動ユニットは、帰還損失（RL4）を測定する。そのとき、受動ユニットは、受動的終端モードにあり、被試験ケーブルに、受動的な100オームの終端インピーダンスを接続する。
【００２１】
これに次ぐ４つのタイムスロットは、能動ユニットでは、Quiet1、Quiet2、Quiet3、Quiet4である。受動ユニットでは、Quiet4、Quiet3、Quiet2、Quiet1の順である。これらのタイムスロットのそれぞれにおいて、能動ユニットと受動ユニットは共に、特定のケーブル対で無信号状態の測定を行う。例えば、Quiet1ではケーブル対#1を測定し、Quiet2ではケーブル対#2を測定する。これにより、何らかの電磁誘導擾乱や外部の妨害源からの雑音の有無を測定する。
【００２２】
上記の試験シーケンスが終了したあと、能動ユニットと受動ユニットは入れ替わる。今度は、遠隔ユニット34が能動ユニットとなり、試験シーケンス36を実行する。一方、主ユニット32は、前は能動ユニットであったが、今回は受動ユニットとなり、試験シーケンス38を実行する。この方法により、試験シーケンスは、ケーブルの両端側から実行される。
【００２３】
引き続き図６を参照しながら、能動ユニットの遠端漏話（NEXT2,3）スロットについて説明する。このスロットの始めには、利得を設定する部分がある。図示された実施例では、これに64μsかかる。これにより、能動ユニットの利得は適切な値に設定される。つぎに、平均特性を得るための繰り返し数をＮとして、64μsの測定のＮ回が一組として実行される。
【００２４】
上述の試験動作の制御は、主ユニット30と遠隔ユニット34それぞれにおいて、CPU24によって行われる。回路としては明示していないが、この両ユニットは、被試験ケーブルのケーブル対を介して相互に通信し、測定の同期スタートのための信号や、測定結果や、誤り状態情報や、その他の各種のデータを交換する。各種のスイッチはすべて、それぞれのユニットのCPUで制御可能である。
【００２５】
上記のように、本発明の実施例では、ネットワーク試験機器を、被試験ケーブルの一端側に主ユニットを接続し、遠隔ユニットを他端側に接続し、主ユニットから試験信号を印加して、主ユニットと遠隔ユニットで一連の測定を行い、その後両ユニットの役割を交代して、一連の測定を行う構成としたので、ネットワークケーブルの試験を短時間で完了できる。
【産業上の利用可能性】
【００２６】
本発明の試験機器は、ネットワークケーブルの試験や測定を行うための装置として最適である。
【図面の簡単な説明】
【００２７】
【図１】本発明の実施例における試験機器の主要構成要素を示す機能的系統図である。
【図２】本発明の実施例における試験機器を、参照パス測定を行うために設定した状態を示す図である。
【図３】本発明の実施例における試験機器を、近端漏話測定を行うために設定した状態を示す図である。
【図４】本発明の実施例における試験機器を、帰還損失測定を行うために設定した状態を示す図である。
【図５】本発明の実施例における試験機器を、被試験ケーブルに接続した状態を示す図である。
【図６】本発明の実施例における試験機器の主ユニットと遠隔ユニットの試験シーケンスを示す図である。
【符号の説明】
【００２８】
10  試験ユニット
12  ケーブル対
14  不平衡変換器
16  スイッチ
16a  送信スイッチ
16b  受信スイッチ
18  信号源
20  受信器
26  復路系
26a  方向性カプラ
26b  スイッチ
26d  スイッチ
26c  スイッチ
30  主ユニット
32  被試験ケーブル
34  遠隔ユニット
36  試験シーケンス（能動ユニット側）
38  試験シーケンス（受動ユニット側）
【図１】
2005318592.tif 000003
【図２】
2005318592.tif 000004
【図３】
2005318592.tif 000005
【図４】
2005318592.tif 000006
【図５】
2005318592.tif 000007
【図６】
2005318592.tif 000008